(57)【要約】【課題】インクジェットプリンタにおいて、例えばはがきサイズの記録紙を同時に２枚、並行に搬送しつつ画像を形成する。【解決手段】並列給紙トレイ１３には、仕切り部１３ａが主走査方向略中央部に設けられており、この仕切り部１３ａを挟むように、はがきサイズの記録紙Ｐ１，Ｐ２が２列に並列装填されている。インクジェットプリンタ１は、記録紙Ｐ１，Ｐ２の上面に記録紙ピックローラ５の略円筒状の表面を接触させて回転させ、筐体１０の内部に向け、記録紙Ｐ１，Ｐ２を１枚ずつ同時に拾い上げて給紙する。拾い上げられた２枚の記録紙Ｐ１，Ｐ２は、主走査方向に並列した状態で副走査方向に搬送される。これに伴い、キャリッジ２が主走査方向の一往復で記録紙Ｐ１，Ｐ２の両方にインクを塗布するように駆動され、２枚の記録紙Ｐ１，Ｐ２に同時に画像が形成され、排紙トレイ１２上に排出される。【選択図】図３
2007119144.tif 000002
【特許請求の範囲】
【請求項１】
インクを吐出する記録ヘッドを搭載し、主走査方向に移動可能に筐体内部に設けられたキャリッジと、
このキャリッジを主走査方向に往復移動させるキャリッジ駆動機構と、
略Ａ４サイズの記録紙を、短辺が主走査方向になるように縦方向に主走査方向略中央部に装填可能な給紙トレイと、
前記給紙トレイの主走査方向略中央部に、この給紙トレイに装填される記録紙と対向するように配され、装填された記録紙の上面に略円筒状の表面を接触及び回転させることによりこの記録紙を筐体内部に向けて１枚ずつ拾い上げる記録紙ピックローラと、
この記録紙ピックローラにより拾い上げられた記録紙を、前記主走査方向に略直交する副走査方向に搬送する記録紙搬送機構とを備えたインクジェットプリンタにおいて、
前記給紙トレイは、筐体に着脱可能であり、
前記筐体には、前記給紙トレイに換え、記録紙が装填される部位を主走査方向に２分割する仕切り部が主走査方向略中央部に設けられ、略はがきサイズの記録紙を、縦方向に、前記仕切り部を間に挟んで主走査方向に２列に並列装填可能な並列給紙トレイを装着可能であり、
この並列給紙トレイが前記筐体に装着されたとき、この並列給紙トレイに２列に並列装填された前記記録紙の上面に前記記録紙ピックローラの表面を接触及び回転させて、この記録紙を１列につき１枚ずつ同時に拾い上げ、主走査方向に並列した状態で副走査方向に搬送し、この２枚の記録紙に同時に画像を形成することが可能であることを特徴とするインクジェットプリンタ。
【請求項２】
インクを吐出する記録ヘッドを搭載し、主走査方向に移動可能に筐体内部に設けられたキャリッジと、
このキャリッジを主走査方向に往復移動させるキャリッジ駆動機構と、
記録紙が装填される給紙トレイと、
この給紙トレイに装填された記録紙を前記主走査方向に略直交する副走査方向に搬送する記録紙搬送機構とを備えたインクジェットプリンタにおいて、
前記給紙トレイは、記録紙が装填される部位を主走査方向に２分割する仕切り部を有しており、記録紙をこの仕切り部を間に挟んで主走査方向に２列に並列装填可能であり、
この給紙トレイに２列に並列装填された記録紙を、１列につき１枚ずつ、主走査方向に２列に並列した状態で副走査方向に搬送し、この２枚の記録紙に同時に画像を形成することが可能であることを特徴とするインクジェットプリンタ。
【請求項３】
前記給紙トレイは前記筐体に着脱可能であり、
前記給紙トレイと、前記仕切り部を有さず前記給紙トレイに２列に並列装填可能な記録紙よりも大きいサイズの記録紙を装填可能な給紙トレイとを、択一的に筐体に装着可能であることを特徴とする請求項２記載のインクジェットプリンタ。
【発明の詳細な説明】
【技術分野】
【０００１】
本発明は、往復移動するキャリッジに搭載された記録ヘッドにより記録紙に画像を形成するインクジェットプリンタに関する。
【背景技術】
【０００２】
従来より、記録ヘッドを搭載したキャリッジを記録紙の搬送方向（以下、副走査方向と称する）と直交する方向（以下、主走査方向と称する）に往復移動させながら、記録ヘッドからインクを吐出させることにより、記録紙上に画像を形成するインクジェットプリンタが用いられている。このようなインクジェットプリンタとしては、一台で、例えばＡ４サイズからはがきサイズまで、種々の大きさの記録紙に画像を形成することができるように構成されているものがある。
【０００３】
しかしながら、このような従来のインクジェットプリンタは、例えばＡ４サイズの記録紙一枚ずつに画像を形成可能な大きさに構成されていながら、例えばはがきのように小さな記録紙に画像を形成する場合でも、記録紙１枚毎に、給紙トレイから給紙し、画像を形成した後、排紙トレイに排出するものである。従って、特に多枚数のはがきに画像を形成するような場合には、画像の形成を完了するのに長時間かかってしまう。また、このようなインクジェットプリンタでは、インクジェットプリンタ本体を小型化するために、給紙トレイに装填可能な記録紙の枚数は限られている。このため、多枚数の記録紙に画像を形成する場合には、給紙トレイへの記録紙の補充を頻繁に行う必要が生じてしまい、ユーザにとって煩わしいという問題があった。
【０００４】
なお、例えば特許文献１には、印刷動作を並列処理することにより、印刷速度を向上させるレーザプリンタが記載されている。しかしながら、このレーザプリンタは、印刷を行う記録手段を並列に設けたもので高価となるので、上述の問題点を解決するために適用可能ではない。また、特許文献２には、給紙トレイを並列構造として、給紙トレイの一方の列にはスキャンされる原稿を、他方の列には記録紙を装填し、原稿をスキャンする動作と記録紙に画像を形成する動作とを同時に迅速に行う熱転写プリンタが記載されている。しかしながら、この特許文献２においても、上述の問題点に対する有効な解決策は開示されていない。
【特許文献１】特開平６−３４０１３７号公報
【特許文献２】特開平９−１８６６２号公報
【発明の開示】
【発明が解決しようとする課題】
【０００５】
本発明は、上記問題点を鑑みてなされたものであり、多枚数の記録紙を給紙トレイに装填可能であり、画像を形成する動作を短時間に行うことが可能である安価なインクジェットプリンタを提供することを目的とする。
【課題を解決するための手段】
【０００６】
上記目的を達成するため請求項１の発明は、インクを吐出する記録ヘッドを搭載し、主走査方向に移動可能に筐体内部に設けられたキャリッジと、このキャリッジを主走査方向に往復移動させるキャリッジ駆動機構と、略Ａ４サイズの記録紙を、短辺が主走査方向になるように縦方向に主走査方向略中央部に装填可能な給紙トレイと、前記給紙トレイの主走査方向略中央部に、この給紙トレイに装填される記録紙と対向するように配され、装填された記録紙の上面に略円筒状の表面を接触及び回転させることによりこの記録紙を筐体内部に向けて１枚ずつ拾い上げる記録紙ピックローラと、この記録紙ピックローラにより拾い上げられた記録紙を、前記主走査方向に略直交する副走査方向に搬送する記録紙搬送機構とを備えたインクジェットプリンタにおいて、前記給紙トレイは、筐体に着脱可能であり、前記筐体には、前記給紙トレイに換え、記録紙が装填される部位を主走査方向に２分割する仕切り部が主走査方向略中央部に設けられ、略はがきサイズの記録紙を、縦方向に、前記仕切り部を間に挟んで主走査方向に２列に並列装填可能な並列給紙トレイを装着可能であり、この並列給紙トレイが前記筐体に装着されたとき、この並列給紙トレイに２列に並列装填された前記記録紙の上面に前記記録紙ピックローラの表面を接触及び回転させて、この記録紙を１列につき１枚ずつ同時に拾い上げ、主走査方向に並列した状態で副走査方向に搬送し、この２枚の記録紙に同時に画像を形成することが可能であるものである。
【０００７】
請求項２の発明は、インクを吐出する記録ヘッドを搭載し、主走査方向に移動可能に筐体内部に設けられたキャリッジと、このキャリッジを主走査方向に往復移動させるキャリッジ駆動機構と、記録紙が装填される給紙トレイと、この給紙トレイに装填された記録紙を前記主走査方向に略直交する副走査方向に搬送する記録紙搬送機構とを備えたインクジェットプリンタにおいて、前記給紙トレイは、記録紙が装填される部位を主走査方向に２分割する仕切り部を有しており、記録紙をこの仕切り部を間に挟んで主走査方向に２列に並列装填可能であり、この給紙トレイに２列に並列装填された記録紙を、１列につき１枚ずつ、主走査方向に２列に並列した状態で副走査方向に搬送し、この２枚の記録紙に同時に画像を形成することが可能であるものである。
【０００８】
請求項３の発明は、請求項２の発明において、前記給紙トレイは前記筐体に着脱可能であり、前記給紙トレイと、前記仕切り部を有さず前記給紙トレイに２列に並列装填可能な記録紙よりも大きいサイズの記録紙を装填可能な給紙トレイとを、択一的に筐体に装着可能であるものである。
【発明の効果】
【０００９】
請求項１の発明によれば、並列給紙トレイに２列に並列装填された記録紙を、主走査方向に並列した状態で副走査方向に搬送し、２枚の記録紙に同時に画像を形成するので、記録紙１枚当たりにかかる給紙動作及び排紙動作の時間が短くなる。従って、記録紙１枚当たりに必要な画像を形成する時間が短くなり、画像を形成する動作を短時間に行うことが可能となる。また、記録紙を並列給紙トレイに２列に並列装填するので、多枚数の記録紙に画像を形成するときにも、記録紙を並列給紙トレイに補充する作業を行う頻度を少なくすることが可能となり、インクジェットプリンタがより扱いやすいものとなる。さらに、給紙トレイの主走査方向の略中央部に仕切り部を形成するだけで、そのほかは従来のプリンタの構造と同様であるため、低コストで２枚の記録紙に同時に画像形成可能なインクジェットプリンタを提供することができる。そして、並列給紙トレイと給紙トレイとは、共に筐体に着脱可能であるので、記録紙の大きさ等の用途に合わせて並列給紙トレイ又は給紙トレイを選択して用いることにより、上述のように画像を形成する動作を短時間に行うことが可能なインクジェットプリンタを、様々な用途に用いることが可能となる。
【００１０】
請求項２の発明によれば、給紙トレイに２列に並列装填された記録紙を、主走査方向に並列した状態で副走査方向に搬送し、２枚の記録紙に同時に画像を形成するので、上述と同様に、画像を形成する動作を短時間に行うことが可能となる。また、記録紙を並列給紙トレイに補充する作業を行う頻度を少なくすることが可能となり、インクジェットプリンタがより扱いやすいものとなる。さらに、給紙トレイの主走査方向の略中央部に仕切り部を形成するだけで、そのほかは従来のプリンタの構造と同様であるため、低コストで２枚の記録紙に同時に画像形成可能なインクジェットプリンタを提供することができる。
【００１１】
請求項３の発明によれば、記録紙を２列に並列装填可能な給紙トレイと、その記録紙よりも大きいサイズの記録紙を装填可能な給紙トレイとを、択一的に筐体に装着可能であるので、記録紙の大きさ等の用途に合わせて並列給紙トレイ又は給紙トレイを選択して用いることにより、上述のように画像を形成する動作を短時間に行うことが可能なインクジェットプリンタを、様々な用途に用いることが可能となる。
【発明を実施するための最良の形態】
【００１２】
以下、本発明の一実施形態について図面を参照して説明する。図１は、本実施形態に係るインクジェットプリンタの一例を示す。このインクジェットプリンタ１は、インクを吐出する記録ヘッド（図示せず）を有するインクカートリッジ３が搭載されたキャリッジ２を、主走査方向（図に矢印Ａで示す）に往復移動させることにより、主走査方向と直交する副走査方向（図に矢印Ｂで示す）に搬送される記録紙Ｐに画像を形成するものである。このインクジェットプリンタ１は、筐体１０の背面に、プリントされる記録紙Ｐが装填される給紙トレイ１１を有しており、また、筐体１０の前面下方に、プリントされた記録紙Ｐを排出するための排紙トレイ１２を有している。
【００１３】
このインクジェットプリンタ１は、例えばＡ４サイズの記録紙Ｐに画像を形成可能なものである。図に示すように、給紙トレイ１１には、記録紙Ｐが、短辺が主走査方向となるように、すなわち縦方向に装填されている。記録紙Ｐは、給紙トレイ１１に主走査方向に摺動可能に設けられている２つのガイド爪１１ｂにより、給紙トレイ１１の主走査方向略中央の位置になるように位置決めされた状態で装填されている。
【００１４】
このインクジェットプリンタ１の筐体１０の内部には、キャリッジ２と、キャリッジ２に搭載されているインクカートリッジ３と、キャリッジ２の背面側に主走査方向が長手方向に配されるシャフト４と、記録紙ピックローラ５と、記録紙搬送機構６と、キャリッジ２に駆動力を与えて往復移動させるキャリッジ駆動機構７と、キャリッジ２の主走査方向の位置を検出するために用いられて筐体１０に主走査方向に沿って配されているエンコーダスケール８と、インクジェットプリンタ１の種々の動作を制御するための制御回路９とが設けられている。このインクジェットプリンタ１は、例えば外部のパーソナルコンピュータ（図示せず）等と接続されており、後述するようにこのパーソナルコンピュータ等から送信されるデータ及びコマンド等に基いて、記録紙Ｐに画像を形成する機能を有している。
【００１５】
キャリッジ２は、シャフト４に摺動可能に嵌合されており、後述するようにキャリッジ駆動機構７のベルト７ａの一部分に接続されており、シャフト４に沿って主走査方向に移動可能に配置されている。キャリッジ２にはフォトカプラ（図示せず）が搭載されており、このフォトカプラが所定の解像度を有するエンコーダスケール８上を走査することにより、キャリッジ２の主走査方向の位置を検出可能となるように構成されている。キャリッジ２の内部には空間が設けられており、インクカートリッジ３がこの空間に着脱可能に配されている。インクカートリッジ３は、内部にインクが収納されたインクタンクを有している。インクカートリッジ３の下面には、インクタンクに収納されたインクを吐出するための複数のノズルを有する記録ヘッドが設けられている。なお、キャリッジ２は、このような構成に限られるものではなく、例えば、記録ヘッドがキャリッジ２に設けられており、キャリッジ２又は筐体１０に収納されている記録ヘッドを有さないインクカートリッジ３から供給されるインクをこの記録ヘッドから吐出するように構成されていてもよい。
【００１６】
本実施形態において、インクカートリッジ３は、ブラックインクが封入されたものと、例えばシアン、マゼンタ、イエローの３色等のカラーインクが封入されたものとの２つが用いられ、キャリッジ２に搭載されている。すなわち、このインクジェットプリンタ１は、記録紙Ｐにカラー画像を形成可能に構成されているものである。なお、キャリッジ２に搭載されるインクカートリッジ３の構成はこれに限られるものではなく、例えばブラックインクとカラーインクが１つにまとまったものであったり、カラーインクも各色毎に別個に封入されているものであったりしてもよい。また、このインクジェットプリンタ１は、キャリッジ２にブラックインクが封入されたインクカートリッジ３のみが搭載されており、例えばグレースケール画像を形成するようなものであってもよい。
【００１７】
記録紙ピックローラ５は略円筒形状であり、その表面は例えばゴム等により形成されており、記録紙Ｐと接触したときにその接触面で滑りにくくなるように構成されている。この記録紙ピックローラ５は、主走査方向が回転軸となるように両端が軸支された状態で、給紙トレイ１１の主走査方向略中央部に、給紙トレイ１１に装填される記録紙Ｐと対向するように配されている。記録紙ピックローラ５は、後述する記録紙搬送機構６と連動して回動されるように構成されている。
【００１８】
キャリッジ駆動機構７は、例えば、インクジェットプリンタ１の筐体１０に主走査方向に沿って配されている環状のベルト７ａと、このベルト７ａを回動させるためのＤＣモータ７ｂとにより構成されているものである。ベルト７ａの一部分は、キャリッジ２の後方に接続されている。キャリッジ駆動機構７は、ＤＣモータ７ｂによってベルト７ａを回動させることにより、キャリッジ２に駆動力を与えて主走査方向に往復移動させる。なお、キャリッジ駆動機構７はこの構成に限られるものではない。
【００１９】
制御回路９は、例えば外部のパーソナルコンピュータ等で動作するデバイスドライバ等のソフトウェア等により制御されるものである。この制御回路９は、パーソナルコンピュータから送信されるデータ及びコマンド等に基づいて、記録紙搬送機構６、キャリッジ駆動機構７、及び記録ヘッド等を制御することにより、記録紙Ｐ上に画像を形成するプリント機能を有している。制御回路９は、この機能の他、例えばディジタルカメラ等から送信されるようなＪＰＥＧ圧縮された画像データを解凍して記録紙Ｐ上に画像を形成する機能を有しているようなものであってもよい。また、制御回路９は、例えば筐体１０に設けられるような操作ボタン（図示せず）等がユーザ等により操作されることに応じて、所定の機能を動作させるように構成されていてもよい。
【００２０】
次に、このインクジェットプリンタ１が記録紙Ｐに画像を形成するときのプリント動作を説明する。プリント動作がスタートすると、給紙トレイ１１に装填された記録紙Ｐの上面に記録紙ピックローラ５の略円筒状の表面を接触させ、記録紙ピックローラ５を回転させる。これにより、記録紙Ｐが筐体１０の内部に向けて一枚拾い上げられて給紙される。拾い上げられた記録紙Ｐは、記録紙搬送機構６により副走査方向に搬送される。これに伴い、キャリッジ駆動機構７によりキャリッジ２が主走査方向に往復移動させつつ、記録ヘッドからインクを吐出して記録紙Ｐ上に塗布する。記録紙Ｐを副走査方向に搬送しながら、主走査方向にインクの塗布を行うことを繰り返すことにより、記録紙Ｐ上に画像が形成される。記録紙Ｐに画像が形成されると、この記録紙Ｐを記録紙搬送機構６により排紙トレイ１２上に排出し、プリント動作が終了する。
【００２１】
ここで、本実施形態において、給紙トレイ１１は、筐体１０に着脱可能に取り付けられているものである。そして、インクジェットプリンタ１は、この給紙トレイ１１を筐体１０から取り外し、給紙トレイ１１とは別の給紙トレイを筐体１０に取り付けることができるように構成されている。
【００２２】
図２は、上述の給紙トレイ１１とは別の、並列給紙トレイ１３を示す。本実施形態において、インクジェットプリンタ１は、給紙トレイ１１と並列給紙トレイ１３とを択一的に、筐体１０の背面に図の矢印で示すように差し込んで筐体１０に装着可能に構成されている。並列給紙トレイ１３には、記録紙Ｐが装填される部位を主走査方向に略等分に２分割する仕切り部１３ａが主走査方向略中央部に設けられている。また、仕切り部１３ａの両サイドには、それぞれガイド爪１３ｂが主走査方向に摺動可能に設けられている。
【００２３】
図３は、給紙トレイ１１に換えて並列給紙トレイ１３を筐体１０に装着した状態のインクジェットプリンタ１を示す。図に示すように、この仕切り部１３ａの主走査方向の両サイドには、それぞれ、この仕切り部１３ａを間に挟むように、例えばはがきのような上述の記録紙Ｐよりも小さいサイズの記録紙Ｐ１，Ｐ２が２列に並列に装填されている。並列装填された記録紙Ｐ１，Ｐ２は、ガイド爪１３ｂによりそれぞれ仕切り部１３ａ側に寄せた状態で保持されるように構成されている。なお、このインクジェットプリンタ１は、記録紙Ｐ１，Ｐ２として、はがきの他にも、例えばカードや封筒等、上述のＡ４サイズの記録紙の略半分の幅寸法となる略Ａ６サイズまでの大きさの記録紙を使用可能に構成されている。このような記録紙Ｐ１，Ｐ２は、給紙トレイ１３に、縦方向に装填可能となるように構成されている。
【００２４】
このように、並列給紙トレイ１３が筐体１０に装着されているときには、制御回路９は、プリント機能を２枚の記録紙Ｐ１，Ｐ２に同時に行うように制御する。以下に、このとき制御回路９により制御されて行われる並列プリント動作を説明する。並列プリント動作がスタートすると、並列給紙トレイ１３に２列に並列装填された記録紙Ｐ１，Ｐ２の上面に記録紙ピックローラ５の略円筒状の表面を接触させる。そして、記録紙ピックローラ５を回転させて、筐体１０の内部に向け、記録紙Ｐ１，Ｐ２を１枚ずつ同時に拾い上げて給紙する。拾い上げられた２枚の記録紙Ｐ１，Ｐ２は、主走査方向に並列した状態で、記録紙搬送機構６により副走査方向に搬送される。これに伴い、キャリッジ駆動機構７によりキャリッジ２が主走査方向に往復移動させつつ、記録ヘッドからインクを吐出して記録紙Ｐ１，Ｐ２上に塗布する。このとき、キャリッジ２は、主走査方向の一往復で記録紙Ｐ１，Ｐ２の両方にインクを塗布するように駆動され、２枚の記録紙Ｐ１，Ｐ２に同時に画像が形成される。そして、図３に示すように、２枚の記録紙Ｐ１，Ｐ２は、記録紙搬送機構６により排紙トレイ１２上に共に排出され、並列プリント動作が終了する。
【００２５】
なお、このとき、外部のパーソナルコンピュータ等のデバイスドライバが、記録紙Ｐ１，Ｐ２の両方に形成する１つの画像を、複製して２列に並列させた１つの大きな画像としてインクジェットプリンタ１へと送信する。インクジェットプリンタ１では、制御回路９の制御によって、搬送された２枚の記録紙Ｐ１，Ｐ２にこの大きな画像が形成されることにより、記録紙Ｐ１，Ｐ２それぞれに１枚の画像が形成される。なお、この制御回路９は、外部のパーソナルコンピュータ等から送信された１枚の画像を２枚の記録紙Ｐ１，Ｐ２の両方に形成する機能を内蔵しているものであってもよい。このとき、外部のパーソナルコンピュータからは従来通り１枚の画像が送信されることにより、記録紙Ｐ１，Ｐ２の両方に同じ画像が形成される。また、このインクジェットプリンタ１は、記録紙Ｐ１，Ｐ２に互いに異なる画像を同時に形成可能に構成されているものであってもよい。このとき、例えば、外部のパーソナルコンピュータ等のデバイスドライバが、２枚の記録紙Ｐ１，Ｐ２に形成する２種類の画像をそれぞれ送信し、制御回路９は、送信された２種類の画像をそれぞれ記録紙Ｐ１，Ｐ２に形成するように並列プリント動作を行う。
【００２６】
このように、並列給紙トレイ１３を用いることにより２枚の記録紙Ｐ１，Ｐ２に同時に画像を形成するので、記録紙１枚当たりにかかる給紙動作及び排紙動作の時間が短くなる。従って、記録紙１枚当たりに必要な画像を形成する時間が短くなり、画像を形成する動作を短時間に行うことが可能となる。また、記録紙Ｐ１，Ｐ２を並列給紙トレイ１３に２列に並列装填するので、従来のインクジェットプリンタと比較して多くの記録紙Ｐ１，Ｐ２を一度に装填可能となる。従って、多枚数の記録紙Ｐ１，Ｐ２に画像を形成するときにも、記録紙Ｐ１，Ｐ２を並列給紙トレイ１３に補充する作業を行う頻度を少なくすることが可能となり、インクジェットプリンタ１がより扱いやすいものとなる。さらに、並列給紙トレイ１３と給紙トレイ１１とは、共に筐体１０に着脱可能であるので、記録紙の大きさ等の用途に合わせて並列給紙トレイ１３又は給紙トレイ１１を選択して用いることにより、様々な用途にこのインクジェットプリンタ１を用いることが可能となる。さらにまた、並列給紙トレイ１３は、給紙トレイ１１に仕切り部１３ａを設けただけであり、構造が簡単であり、製造コストも低い。その結果、２枚の記録紙に同時に画像を形成しうるプリンタを安価に提供することができる。
【図面の簡単な説明】
【００２７】
【図１】本発明の一実施形態に係るインクジェットプリンタの一例を示す斜視図。
【図２】同プリンタに装着される並列給紙トレイを示す斜視図。
【図３】同プリンタに並列給紙トレイを装着したときを示す斜視図。
【符号の説明】
【００２８】
１  インクジェットプリンタ
２  キャリッジ
５  記録紙ピックローラ
６  記録紙搬送機構
７  キャリッジ駆動機構
１０  筐体
１１  給紙トレイ
１３  並列給紙トレイ（給紙トレイ）
１３ａ  仕切り部
Ａ  主走査方向
Ｂ  副走査方向
Ｐ，Ｐ１，Ｐ２  記録紙
【図１】
2007119144.tif 000003
【図２】
2007119144.tif 000004
【図３】
2007119144.tif 000005